(57)【特許請求の範囲】
【請求項１】
撮影画像を記録媒体に記録する撮影画像記録手段と、前記記録媒体に記録された撮影画像を複数表示する撮影画像表示手段を備えた撮像装置であって、
複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段とを備え、
前記撮影画像表示手段は、前記優先順位設定手段により設定されたエラー属性間の優先順位に基づいて、前記各撮影画像を表示し、
前記撮影画像評価手段は、前記優先順位に関係なく、既定の方法で画質を評価することを特徴とする撮像装置。
【請求項２】
前記撮影画像表示手段は、前記優先順位設定手段により優先順位が高く設定されたエラー属性に関連付けられている撮影画像を優先的に表示することを特徴とする請求項１に記載の撮像装置。
【請求項３】
前記記録媒体の記録可能残存容量を検出する残存容量検出手段を備え、
前記撮影画像表示手段は、前記残存容量検出手段により検出される記録可能残存容量が所定の容量閾値よりも少量となったときに、前記優先順位設定手段により設定されたエラー属性間の優先順位に基づいて、前記各撮影画像を表示することを特徴とする請求項１または２に記載の撮像装置。
【請求項４】
前記撮影画像表示手段は、前記記録媒体に前記エラー属性と関連付けて記録されている撮影画像を前記エラー属性に対応したエラータグとともに表示することを特徴とする請求項１から３の何れかに記載の撮像装置。
【請求項５】
撮影画像を記録媒体に記録する撮影画像記録手段と、前記記録媒体に記録された撮影画像を削除する撮影画像削除手段を備えた撮像装置であって、
複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段とを備え、
前記撮影画像削除手段は、前記優先順位設定手段により設定されたエラー属性間の優先順位に基づいて、前記各撮影画像を削除し、
前記撮影画像評価手段は、前記優先順位に関係なく、既定の方法で画質を評価することを特徴とする撮像装置。
【請求項６】
前記撮影画像削除手段は、前記優先順位設定手段により優先順位が高く設定されたエラー属性に関連付けられている撮影画像を優先的に削除することを特徴とする請求項５に記載の撮像装置。
【請求項７】
前記記録媒体の記録可能残存容量を検出する残存容量検出手段を備え、
前記撮影画像削除手段は、前記残存容量検出手段により検出される記録可能残存容量が所定の容量閾値よりも少量となったときに、前記優先順位設定手段により設定されたエラー属性間の優先順位に基づいて、前記各撮影画像を削除することを特徴とする請求項５または６に記載の撮像装置。
【請求項８】
撮影画像を記録媒体に記録する撮影画像記録工程と、前記記録媒体に記録された撮影画像を複数表示する撮影画像表示工程を有する撮影画像の表示方法であって、
複数の評価項目について前記各撮影画像の画質を評価する撮影画像評価工程と、前記撮影画像評価工程による前記撮影画像の画質評価結果に基づいて前記評価項目毎にエラー属性を生成して、そのエラー属性を前記撮影画像に関連付けるエラー属性生成工程と、前記エラー属性生成手段により生成される各エラー属性間に予め優先順位を設定して記憶しておく優先順位設定工程とを有し、
前記撮影画像表示工程は、前記優先順位設定工程により設定されたエラー属性間の優先順位に基づいて、前記各撮影画像を表示し、
前記撮影画像評価工程は、前記優先順位に関係なく、既定の方法で画質を評価することを特徴とする撮影画像の表示方法。
【請求項９】
撮影画像を記録媒体に記録する撮影画像記録工程と、前記記録媒体に記録された撮影画像を削除する撮影画像削除工程を有する撮影画像の削除方法であって、
複数の評価項目について前記各撮影画像の画質を評価する撮影画像評価工程と、前記撮影画像評価工程による前記撮影画像の画質評価結果に基づいて前記評価項目毎にエラー属性を生成して、そのエラー属性を前記撮影画像に関連付けるエラー属性生成工程と、前記エラー属性生成手段により生成される各エラー属性間に予め優先順位を設定して記憶しておく優先順位設定工程とを有し、
前記撮影画像削除工程は、前記優先順位設定工程により設定されたエラー属性間の優先順位に基づいて、前記各撮影画像を削除し、
前記撮影画像評価工程は、前記優先順位に関係なく、既定の方法で画質を評価することを特徴とする撮影画像の削除方法。
【請求項１０】
撮影画像を記録媒体に記録する撮影画像記録手段と、前記記録媒体に記録された撮影画像を複数表示する撮影画像表示手段としてコンピュータを機能させるための撮影画像の表示プログラムであって、
複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、
前記撮影画像表示手段は、前記優先順位設定手段により設定されたエラー属性間の優先順位に基づいて、前記各撮影画像を表示し、
前記撮影画像評価手段は、前記優先順位に関係なく、既定の方法で画質を評価するように機能することを特徴とする撮影画像の表示プログラム。
【請求項１１】
撮影画像を記録媒体に記録する撮影画像記録手段と、前記記録媒体に記録された撮影画像を複数表示する撮影画像削除手段としてコンピュータを機能させるための撮影画像の削除プログラムであって、
複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、
前記撮影画像削除手段は、前記優先順位設定手段により設定されたエラー属性間の優先順位に基づいて、前記各撮影画像を削除し、
前記撮影画像評価手段は、前記優先順位に関係なく、既定の方法で画質を評価するように機能することを特徴とする撮影画像の削除プログラム。
【発明の詳細な説明】
【技術分野】
【０００１】
本発明は、撮影画像を記録媒体に記録する撮影画像記録手段を備えた撮像装置、撮影画像の表示方法、撮影画像の表示プログラム、撮影画像の削除方法及び撮影画像の削除プログラムに関する。
【背景技術】
【０００２】
近年、撮影画像をメモリカード等の記録媒体に記録する撮像装置としてのデジタルカメラが普及している。
【０００３】
前記撮像装置では、記録媒体に記録された撮影画像を削除して、再度新たな撮影画像を記録することが可能であり、例えば、とりあえず撮影画像を記録しておき、その後に好みの撮影画像のみを選択して、不必要な撮影画像を削除することも可能となるため、フィルム代や現像代などを気にすることなく撮影画像を記録することができる。
【０００４】
そして、特許文献１や特許文献２に示すように、不必要と予測される撮影画像を自動的に検出し、前記検出した撮影画像を削除候補の撮影画像として表示させることで、記録媒体から削除する撮影画像をより選択しやすくする技術が提案されていた。
【特許文献１】特開２００２−３６９１２５号公報
【特許文献２】特開２００６−５０４９７号公報
【発明の開示】
【発明が解決しようとする課題】
【０００５】
しかし、上述したような従来技術においては、削除候補の撮影画像が表示されるものの、その撮影画像の表示状態から、どのような条件に基づいて削除候補となっているかが認識できないときがあり、このようなときには、ユーザは、具体的にどの撮影画像を削除したらよいか戸惑ってしまうという問題があった。
【０００６】
本発明の目的は、上述の従来欠点に鑑み、ユーザが望む削除すべき撮影画像を容易に選択して削除することができる撮像装置、撮影画像の表示方法、撮影画像の表示プログラム、撮影画像の削除方法及び撮影画像の削除プログラムを提供することにある。
【課題を解決するための手段】
【０００７】
上記の目的を達成するため、本発明による撮像装置の第一の特徴構成は、撮影画像を記録媒体に記録する撮影画像記録手段と、前記記録媒体に記録された撮影画像を複数表示する撮影画像表示手段を備えた撮像装置であって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段とを備え、前記撮影画像表示手段は、前記優先順位設定手段により設定されたエラー属性間の優先順位に基づいて、前記各撮影画像を表示し、前記撮影画像評価手段は、前記優先順位に関係なく、既定の方法で画質を評価することを特徴とする点にある。
【０００８】
同撮像装置の第二の特徴構成は、上述の第一の特徴構成に加えて、前記撮影画像表示手段は、前記優先順位設定手段により優先順位が高く設定されたエラー属性に関連付けられている撮影画像を優先的に表示することを特徴とする点にある。
【０００９】
同撮像装置の第三の特徴構成は、上述の第一または第二の特徴構成に加えて、前記記録媒体の記録可能残存容量を検出する残存容量検出手段を備え、前記撮影画像表示手段は、前記残存容量検出手段により検出される記録可能残存容量が所定の容量閾値よりも少量となったときに、前記優先順位設定手段により設定されたエラー属性間の優先順位に基づいて、前記各撮影画像を表示することを特徴とする点にある。
【００１０】
同撮像装置の第四の特徴構成は、上述の第一から第三の何れかの特徴構成に加えて、前記撮影画像表示手段は、前記記録媒体に前記エラー属性と関連付けて記録されている撮影画像を前記エラー属性に対応したエラータグとともに表示することを特徴とする点にある。
【００１１】
同撮像装置の第五の特徴構成は、撮影画像を記録媒体に記録する撮影画像記録手段と、前記記録媒体に記録された撮影画像を削除する撮影画像削除手段を備えた撮像装置であって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段とを備え、前記撮影画像削除手段は、前記優先順位設定手段により設定されたエラー属性間の優先順位に基づいて、前記各撮影画像を削除し、前記撮影画像評価手段は、前記優先順位に関係なく、既定の方法で画質を評価することを特徴とする点にある。
【００１２】
同撮像装置の第六の特徴構成は、上述の第五の特徴構成に加えて、前記撮影画像削除手段は、前記優先順位設定手段により優先順位が高く設定されたエラー属性に関連付けられている撮影画像を優先的に削除することを特徴とする点にある。
【００１３】
同撮像装置の第七の特徴構成は、上述の第五または第六の特徴構成に加えて、前記記録媒体の記録可能残存容量を検出する残存容量検出手段を備え、前記撮影画像削除手段は、前記残存容量検出手段により検出される記録可能残存容量が所定の容量閾値よりも少量となったときに、前記優先順位設定手段により設定されたエラー属性間の優先順位に基づいて、前記各撮影画像を削除することを特徴とする点にある。
【００１４】
同本発明による撮影画像の表示方法の第一の特徴構成は、撮影画像を記録媒体に記録する撮影画像記録工程と、前記記録媒体に記録された撮影画像を複数表示する撮影画像表示工程を有する撮影画像の表示方法であって、複数の評価項目について前記各撮影画像の画質を評価する撮影画像評価工程と、前記撮影画像評価工程による前記撮影画像の画質評価結果に基づいて前記評価項目毎にエラー属性を生成して、そのエラー属性を前記撮影画像に関連付けるエラー属性生成工程と、前記エラー属性生成手段により生成される各エラー属性間に予め優先順位を設定して記憶しておく優先順位設定工程とを有し、前記撮影画像表示工程は、前記優先順位設定工程により設定されたエラー属性間の優先順位に基づいて、前記各撮影画像を表示し、前記撮影画像評価工程は、前記優先順位に関係なく、既定の方法で画質を評価することを特徴とする点にある。
【００１５】
同本発明による撮影画像の削除方法の第一の特徴構成は、撮影画像を記録媒体に記録する撮影画像記録工程と、前記記録媒体に記録された撮影画像を削除する撮影画像削除工程を有する撮影画像の削除方法であって、複数の評価項目について前記各撮影画像の画質を評価する撮影画像評価工程と、前記撮影画像評価工程による前記撮影画像の画質評価結果に基づいて前記評価項目毎にエラー属性を生成して、そのエラー属性を前記撮影画像に関連付けるエラー属性生成工程と、前記エラー属性生成手段により生成される各エラー属性間に予め優先順位を設定して記憶しておく優先順位設定工程とを有し、前記撮影画像削除工程は、前記優先順位設定工程により設定されたエラー属性間の優先順位に基づいて、前記各撮影画像を削除し、前記撮影画像評価工程は、前記優先順位に関係なく、既定の方法で画質を評価することを特徴とする点にある。
【００１６】
同本発明による撮影画像の表示プログラムの第一の特徴構成は、撮影画像を記録媒体に記録する撮影画像記録手段と、前記記録媒体に記録された撮影画像を複数表示する撮影画像表示手段としてコンピュータを機能させるための撮影画像の表示プログラムであって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、前記撮影画像表示手段は、前記優先順位設定手段により設定されたエラー属性間の優先順位に基づいて、前記各撮影画像を表示し、前記撮影画像評価手段は、前記優先順位に関係なく、既定の方法で画質を評価するように機能することを特徴とする点にある。
【００１７】
同本発明による撮影画像の削除プログラムの第一の特徴構成は、撮影画像を記録媒体に記録する撮影画像記録手段と、前記記録媒体に記録された撮影画像を複数表示する撮影画像削除手段としてコンピュータを機能させるための撮影画像の削除プログラムであって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、前記撮影画像削除手段は、前記優先順位設定手段により設定されたエラー属性間の優先順位に基づいて、前記各撮影画像を削除し、前記撮影画像評価手段は、前記優先順位に関係なく、既定の方法で画質を評価するように機能することを特徴とする点にある。
【発明の効果】
【００１８】
本発明によれば、ユーザが望む削除すべき撮影画像を容易に選択して削除することができる撮像装置、撮影画像の表示方法、撮影画像の表示プログラム、撮影画像の削除方法及び撮影画像の削除プログラムを提供することができるようになった。
【発明を実施するための最良の形態】
【００１９】
以下、本発明の撮像装置をデジタルカメラに適用した実施の形態について説明する。前記デジタルカメラ１の外観構成は、図１（Ａ）、図１（Ｂ）に示すように、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配している。
【００２０】
前記ラバーグリップ７は、ユーザが撮影時に当該デジタルカメラ１を右手で筐体右側面側から把持した場合に右手中指、薬指、及び小指が確実に該筐体を把持できるように配設されたゴム製の帯状突起である。
【００２１】
また、前記電源キー８は、電源のオン／オフ毎に操作するキーであり、シャッタキー９は、記録モード時に撮影タイミングを決定するキーである。
【００２２】
また、前記デジタルカメラ１の背面には、モードスイッチ（ＳＷ）１０、スピーカ部１１、メニューキー１２、十字キー１３、セットキー１４、光学ファインダ１５、ストロボチャージランプ１６、及び表示部１７を配している。
【００２３】
前記モードスイッチ１０は、例えばスライドキースイッチにより構成され、基本モードである記録モード「Ｒ」と再生モード「Ｐ」とを切換える。
【００２４】
前記メニューキー１２は、各種メニュー項目等を選択させる際に操作する。
【００２５】
前記十字キー１３は、上下左右各方向へのカーソル移動用のキーが一体に形成されたものであり、前記表示部１７に表示されるメニュー項目等を移動させる際に操作する。
【００２６】
前記セットキー１４は、前記十字キー１３の中心位置に配置され、その時点で選択されているメニュー項目内容等を設定するために操作する。
【００２７】
前記ストロボチャージランプ１６は、前記光学ファインダ１５に近接して配設されたＬＥＤランプでなり、当該デジタルカメラ１のユーザが前記光学ファインダ１５を覗いている場合と前記表示部１７を見ている場合のいずれであってもストロボのチャージ状態等をユーザに視認させることが可能となっている。
【００２８】
前記表示部１７は、例えば、バックライト付きのカラー液晶パネルで構成されるもので、記録モード時には電子ファインダとしてスルー画像のモニタ表示を行なう一方で、再生モード時には選択した画像等を再生表示する。
【００２９】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ Ｓｅｒｉｕａｌ Ｂｕｓ）コネクタ等が設けられている。
【００３０】
次に、図２に基づいて前記デジタルカメラ１の電子回路構成について説明する。当該デジタルカメラ１の第一の基本モードである記録モードにおいては、モータ（Ｍ）２１の駆動により合焦位置や絞り位置が移動される、前記撮影レンズ２を構成するレンズ光学系２２の撮影光軸後方に配置された撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３１】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ Ａｃｃｅｓｓ）コントローラ２９に出力される。
【００３２】
前記ＤＭＡコントローラ２９は、前記カラープロセス回路２８の出力する輝度信号Ｙ及び色差信号Ｃｂ，Ｃｒを、同じく前記カラープロセス回路２８からの複合同期信号、メモリ書込みイネーブル信号、及びクロック信号を用いて一度当該ＤＭＡコントローラ２９内部のバッファに書込み、前記ＤＲＡＭインタフェース（Ｉ／Ｆ）３０を介してバッファメモリとして使用されるＤＲＡＭ３１にＤＭＡ転送を行なう。
【００３３】
制御部３２は、動作プログラムを実行するＣＰＵと、前記ＣＰＵで実行される動作プログラムを固定的に記憶したＲＯＭ、及びワークメモリとして使用されるＲＡＭ等により構成され、当該デジタルカメラ１全体の制御動作を司るもので、前記輝度及び色差信号の前記ＤＲＡＭ３１へのＤＭＡ転送終了後に、この輝度及び色差信号を前記ＤＲＡＭインタフェース３０を介して前記ＤＲＡＭ３１より読出し、ＶＲＡＭコントローラ３３を介してＶＲＡＭ３４に書込む。
【００３４】
デジタルビデオエンコーダ３５は、前記輝度及び色差信号を前記ＶＲＡＭコントローラ３３を介して前記ＶＲＡＭ３４より定期的に読出し、これらのデータを元にビデオ信号を発生して前記表示部１７に出力する。
【００３５】
前記表示部１７は、上述した如く記録モード時にはモニタ表示部（電子ファインダ）として機能するもので、前記デジタルビデオエンコーダ３５からのビデオ信号に基づいた表示を行なうことで、その時点で前記ＶＲＡＭコントローラ３３から取込んでいる画像情報に基づく画像をリアルタイムに表示する。
【００３６】
ここで、前記リアルタイムに表示されている状態の画像を、以下、スルー画像とも記す。
【００３７】
このように前記表示部１７にその時点での画像がモニタ画像としてリアルタイムに表示されている状態で、静止画撮影を行ないたいタイミングで前記シャッタキー９を操作すると、トリガ信号を発生する。
【００３８】
前記制御部３２は、このトリガ信号に応じてその時点で前記ＣＣＤ２３から取込んでいる１画面分の輝度及び色差信号の前記ＤＲＡＭ３１へのＤＭＡ転送の終了後、直ちに前記ＣＣＤ２３からの前記ＤＲＡＭ３１への経路を停止する。
【００３９】
そして、前記制御部３２は、このときに前記ＤＲＡＭ３１に書込まれている１フレーム分の輝度及び色差信号に基づいて詳細は後述の撮影画像評価処理を実行し、撮影画像の記録保存の状態に遷移する。
【００４０】
この記録保存の状態では、前記制御部３２が前記ＤＲＡＭ３１に書込まれている１フレーム分の輝度及び色差信号を前記ＤＲＡＭインタフェース３０を介してＹ，Ｃｂ，Ｃｒの各コンポーネント毎に縦８画素×横８画素の基本ブロックと呼称される単位で読出してＪＰＥＧ（Ｊｏｉｎｔ Ｐｈｏｔｏｇｒａｐｈ ｃｏｄｉｎｇ Ｅｘｐｅｒｔｓ Ｇｒｏｕｐ）回路３６に書込み、このＪＰＥＧ回路３６でＡＤＣＴ（Ａｄａｐｔｉｖｅ Ｄｉｓｃｒｅｔｅ Ｃｏｓｉｎｅ Ｔｒａｎｓｆｏｒｍ：適応離散コサイン変換）や、エントロピ符号化方式であるハフマン符号化等のデータ圧縮処理を実施する。
【００４１】
そして、このようにして得た符号データを１画像のデータファイルとして該ＪＰＥＧ回路３６から読出し、このデジタルカメラ１の記録媒体として着脱自在に装着されるメモリカード３７か、または当該デジタルカメラ１に固定的に内蔵される内蔵メモリ３８のいずれか一方に、前記撮影画像評価処理による評価結果に基づき、必要に応じてエラー属性を関連付けて書込む。
【００４２】
尚、このとき、前記制御部３２は、前記画像データを書き込んだメモリの記録可能残存容量を検出し、前記検出した記録可能残存容量が所定の容量閾値よりも少量であったときに、詳細は後述の撮影画像削除処理を実行する。
【００４３】
そして、１フレーム分の輝度及び色差信号の圧縮処理及び前記メモリカード３７または前記内蔵メモリ３８への全圧縮データの書込みの終了、または、前記撮影画像削除処理の終了に伴って、前記制御部３２は前記ＣＣＤ２３から前記ＤＲＡＭ３１への経路を再び起動する。
【００４４】
ここで、前記シャッタキー９は、他の操作キーとは異なり、複数ストローク、例えば５段階のストローク量を検出可能なストローク量センサあるいは多段スイッチを並設しており、その押圧操作に対するストローク量も検出され、検出信号が前記制御部３２に直接送出される。
【００４５】
また、前記制御部３２にはさらに、キー入力部３９、音声処理部４０、ＵＳＢインタフェース（Ｉ／Ｆ）４１、及びストロボ駆動部４２が接続される。
【００４６】
前記キー入力部３９は、上述したシャッタキー９を除く、前記電源キー８、前記モードスイッチ１０、前記メニューキー１２、前記十字キー１３及び前記セットキー１４等から構成され、それらのキー操作に伴なう信号は直接前記制御部３２へ送出される。
【００４７】
音声処理部４０は、ＰＣＭ音源等の音源回路を備え、音声の録音時には上記マイクロホン部（ＭＩＣ）５より入力された音声信号をデジタル化し、所定のデータファイル形式、例えばＭＰ３（ＭＰＥＧ−１ ａｕｄｉｏ ｌａｙｅｒ ３）規格にしたがってデータ圧縮して音声データファイルを作成して前記メモリカード３７または前記内蔵メモリ３８へ送出する一方、音声の再生時には前記メモリカード３７または前記内蔵メモリ３８から送られてきた音声データファイルの圧縮を解いてアナログ化し、前記スピーカ部（ＳＰ）１１を駆動して、拡声放音させる。
【００４８】
ＵＳＢインタフェース４１は、ＵＳＢコネクタを介して有線接続されるパーソナルコンピュータ等の他の情報端末装置との間で画像データその他の送受を行なう場合の通信制御を行なう。
【００４９】
ストロボ駆動部４２は、静止画像撮影時に図示しないストロボ用の大容量コンデンサを充電した上で、前記制御部３２からの制御に基づいて前記ストロボ発光部６を閃光駆動する。
【００５０】
しかるに、静止画像ではなく動画像の撮影時においては、前記シャッタキー９が操作され続けている間、上述した静止画像データを前記ＪＰＥＧ回路３６でデータ圧縮した静止画データファイルの前記メモリカード３７または前記内蔵メモリ３８への記録を時間的に連続して実行し、前記シャッタキー９の操作が終わるか、または所定の制限時間、例えば３０秒が経過した時点でそれら一連の静止画データファイルを一括してモーションＪＰＥＧのデータファイルとして設定し直す。
【００５１】
つまり、当該デジタルカメラ１の第一の基本モードである記録モード時の概略動作は、図３のフローチャートに示すように、前記表示部１７にスルー画像を表示している状態で、前記シャッタキー９が操作されると（ＳＡ１)、画像撮影を実施し、このときに画像撮影された撮影画像を前記メモリカード３７や前記内蔵メモリ３８に記録する撮影画像として確定する（ＳＡ２）。そして、前記撮影画像に対して前記撮影画像評価処理を実施するとともに（ＳＡ３）、前記データ圧縮処理を実施する（ＳＡ４）。
【００５２】
また、前記撮影画像評価処理により前記撮影画像が詳細は後述するエラー画像として評価されたときには（ＳＡ５）、前記エラー画像の種別に応じたエラー属性を前記データ圧縮処理により生成された画像データ（画像データファイル）に関連付けるエラー属性付加処理を実施し（ＳＡ６）、前記メモリカード３７や前記内蔵メモリ３８に前記エラー属性が関連付けられた画像データ（撮影画像）を記録する（ＳＡ７）。
【００５３】
そして、前記撮影画像を記録したメモリの記録可能残存容量を検出し（ＳＡ８）、前記検出した記録可能残存容量が所定の容量閾値よりも少量であったときに（ＳＡ９）、前記撮影画像削除処理を実行する（ＳＡ１０）。
【００５４】
当該デジタルカメラ１の第二の基本モードである再生モード時には、前記制御部３２が前記メモリカード３７または前記内蔵メモリ３８に記録されている画像データを選択的に読出し、前記ＪＰＥＧ回路３６で記録モード時にデータ圧縮した手順と全く逆の手順で圧縮されている画像データを伸長し、伸長した画像データを前記ＤＲＡＭインタフェース３０を介して前記ＤＲＡＭ３１に保持させた上で、このＤＲＡＭ３１の保持内容を前記ＶＲＡＭコントローラ３３を介して前記ＶＲＡＭ３４に記憶させ、このＶＲＡＭ３４より定期的に画像データを読出してビデオ信号を発生し、前記表示部１７で撮影画像として再生出力させる。
【００５５】
選択した画像データが静止画像ではなく動画像であった場合、選択した動画像ファイルを構成する個々の静止画像データの再生を時間的に連続して実行し、すべての静止画像データの再生を終了した時点で、次に再生の指示がなされるまで先頭に位置する静止画像データのみを用いて再生表示する。
【００５６】
尚、前記メモリカード３７または前記内蔵メモリ３８に記録されている画像データ（撮影画像）に前記エラー属性が関連付けられているときには、予め用意されている前記エラー属性に対応した詳細は後述のエラータグ５０を、例えば、図４に示すように、前記表示部１７に再生出力されている撮影画像５１上の一端に表示する。
【００５７】
ここで、前記エラータグ５０の表示位置は、前記撮影画像５１上の一端に限定するものではなく、前記エラータグ５０が前記撮影画像５１に対応して表示されていることが認識できるような位置に表示されていればよい。
【００５８】
つまり、当該デジタルカメラ１の第二の基本モードである再生モード時の概略動作は、図５のフローチャートに示すように、例えば、前記十字キー１３が操作されると（ＳＢ１）、前記十字キー１３の操作に応じて前記メモリカード３７や前記内蔵メモリ３８に記録されている所定の画像データを選択する（ＳＢ２）。そして、前記選択した画像データに対して上述したように伸長処理を実施し（ＳＢ３）、前記表示部１７に撮影画像として表示する（ＳＢ４）。また、このとき、前記選択された画像データが前記エラー属性と関連付けて記録されていたときには（ＳＢ５）、前記エラー属性に対応したエラータグを前記撮影画像と対応するように前記表示部１７に表示する（ＳＢ６）。さらにこのとき、削除決定キーとして、例えば、前記セットキー１４が操作されると（ＳＢ７）、前記表示されている撮影画像に対応した画像データが記録されているメモリから、前記画像データを削除し（ＳＢ８）、前記ステップＳＢ２に戻る。
【００５９】
以下、前記制御部３２による撮影画像評価処理（前記ステップＳＡ３）及びエラー属性の付加処理（前記ステップＳＡ５、ＳＡ６）について説明する。前記撮影画像評価処理は、前記メモリカード３７または前記内蔵メモリ３８に画像データとして記録される撮影画像の画質を評価する処理である。そして、その評価項目として、例えば、撮影画像の露出度合い（オーバー／アンダー）や、撮影画像の手振れ度合い、撮影画像のピンぼけ度合い、撮影画像の途切れ度合いなどが用意されている。
【００６０】
撮影画像の露出度合いは、例えば、撮影画像の濃度のダイナミックレンジと最小濃度点から所定の演算を行うことにより露光度合いが適正かどうかを評価することができる。ダイナミックレンジは濃度の最大濃度点と最小濃度点の差異をいい、ダイナミックレンジが所定の閾値未満の場合には最小濃度点が所定の閾値未満であると露光不足と評価することができ、また、最大濃度点が所定の閾値以上であると、露光過剰と評価することができる。
【００６１】
手振れ度合いは撮影画像全体のエッジ量を求めることにより評価することができる。具体的には、撮影画像から高周波成分を抽出し、前記抽出した高周波成分を所定の閾値で二値化処理することによりエッジ画素を検出し、前記検出したエッジ画素数をエッジ量として導出する。そして、前記エッジ量が所定の閾値よりも小さいときに手振れが発生していると評価できる。
【００６２】
撮影画像のピンぼけ度合いは、例えば、撮影画像領域の中心付近に位置する画像について、その画像のエッジ量を検出することにより評価できる。また、背景画像のピンぼけは上述とは逆に、撮影画像領域の周辺に位置する画像について、その画像のエッジ量を検出することにより評価できる。
【００６３】
前記エラー属性の付加処理は、前記撮影画像評価処理による上述したような評価結果に基づいて、各評価結果に応じたエラー属性を生成し、それを評価対象画像データと関連付ける処理である。
【００６４】
具体的には、前記撮影画像評価処理によって、撮影画像の露出度合いが不適正であると評価されると、撮影画像の露出度合いが不適正である旨のエラー属性を、また、撮影画像に手振れが発生していると評価されると、撮影画像に手振れが発生している旨のエラー属性を、さらに、撮影画像にピンぼけが発生していると評価されると、撮影画像にピンぼけが発生している旨のエラー属性を、またさらには、撮影画像に画像の途切れが発生していると評価されると、撮影画像に画像の途切れが発生している旨のエラー属性を、それぞれ生成して、上述のように評価対象画像に基づいて圧縮変換された画像データと関連付ける。
【００６５】
つまり、前記撮影画像評価処理及び前記エラー属性の付加処理では、前記メモリカード３７や前記内蔵メモリ３８に記録される撮影画像の画質に、何らかのエラーが存在するエラー画像であるか否かの評価を行い、前記判別対象画像がエラー画像であったときに、それがエラー画像であることが識別可能になるように、また、存在するエラーの種別が識別可能になるように、エラー属性を生成して、前記判別対象画像に前記エラー属性を関連付けている。
【００６６】
尚、前記エラー属性は、画像データのヘッダー情報として付加されるものであってもよいし、別途管理データとして生成されるものであってもよい。いずれにしても、前記判別対象画像と関連付けられる構成となっていればよい。
【００６７】
次に、前記ステップＳＡ１０における撮影画像削除処理について説明する。前記撮影画像削除処理は、前記メモリカード３７または前記内蔵メモリ３８の記録可能残存容量が所定の容量閾値よりも少量となったときに、そのメモリに記録されている所定の画像データ（撮影画像）を削除して、その記録可能残存容量を確保する処理であり、図６に示すように、詳細は後述の優先順位テーブルに基づいて前記メモリに記録されている画像データ（撮影画像）に表示順位を設定する表示順位設定処理（ＳＣ１）と、前記表示順位設定処理で設定した表示順位に従って所定の撮影画像が順次表示される撮影画像削除画面を表示し、そして、前記撮影画像削除画面でユーザにより操作指示された撮影画像を前記メモリから削除する削除実行処理（ＳＣ２）とからなっている。
【００６８】
前記優先順位テーブルは、例えば、図７に示すように、前記エラー属性間に優先順位を設定したもので、前記撮影画像削除画面に撮影画像が表示される際に、所定の表示順位で前記メモリに記録されている撮影画像が表示されるように、前記表示順位設定処理の際に参照されるテーブルである。
【００６９】
例えば、前記優先順位テーブルにおいて、優先順位が高く設定されているエラー属性と関連付けて記録されている撮影画像ほど、前記撮影画像削除画面に先に表示される。
【００７０】
また、前記優先順位テーブルは、例えば、前記撮影画像削除処理が実行される前に、予め、当該デジタルカメラの付属モードとして実行される優先順位設定処理により設定されて記憶されている。
【００７１】
図８のフローチャートに基づいて詳述すると、例えば、当該デジタルカメラに対するユーザの操作により、前記優先順位設定処理を実行するための優先順位設定モードが選択されると、前記制御部３２は、前記表示部１７に、例えば、図９に示すような、優先順位設定画面を表示させる（ＳＤ１）。
【００７２】
前記優先順位設定画面には、前記各種エラー属性に対応したエラー属性選択アイコンが表示される。例えば、前記撮影画像の露出度合いが不適正である旨のエラー属性に対応した『露出』アイコン６１や、前記撮影画像に手振れが発生している旨のエラー属性に対応した『手振れ』アイコン６２、前記撮影画像にピンぼけが発生している旨のエラー属性に対応した『ピンぼけ』アイコン６３、前記撮影画像に画像の途切れが発生している旨のエラー属性に対応した『途切れ』アイコン６４などが表示される。
【００７３】
また、前記優先順位設定画面では、複数が表示されている前記エラー属性選択アイコンのうち、現在選択されているエラー属性選択アイコンが識別可能なように、現在選択されているエラー属性選択アイコン上に選択枠６０が表示される。前記選択枠６０は、選択枠移動キーとして、例えば、前記十字キー１３の操作により、所望のエラー属性選択アイコン上に移動させることが可能となっている（ＳＤ２、ＳＤ３）。
【００７４】
そして、エラー属性選択アイコン決定キーとして、例えば、前記セットキー１４が操作されると（ＳＤ４）、それに対応したエラー属性が選択設定されるとともに、前記エラー属性選択アイコンを、例えば、白地の黒文字表示から黒地の白文字表示に切り替え、ユーザに前記エラー属性選択アイコンに対応したエラー属性が選択設定されたことを知らせる。また、前記エラー属性が選択設定されたエラー属性選択アイコンが再び選択され、前記セットキー１４が操作されると、それに対応したエラー属性の選択設定を解除するとともに、前記エラー属性選択アイコンを、黒地の白文字表示から白地の黒文字表示に切り替え、ユーザに前記エラー属性選択アイコンに対応したエラー属性が選択設定から解除されたことを知らせる（ＳＤ５、ＳＤ６、ＳＤ７、ＳＤ８、ＳＤ９）。
【００７５】
このとき、前記制御部３２は、前記図７に示したように、選択設定されたエラー属性と選択設定されていないエラー属性との間において、前記選択設定されたエラー属性の優先順位が、前記選択設定されていないエラー属性の優先順位よりも、高い優先順位となるように、各エラー属性間の優先順位を設定する（ＳＤ１０）。
【００７６】
さらに、複数のエラー属性が選択設定されたときには（ＳＤ１１）、例えば、選択設定された順に従って、先に選択設定されたエラー属性の優先順位が、後に選択設定されたエラー属性の優先順位よりも高い優先順位となるように、前記選択設定されたエラー属性間に優先順位を設定する（ＳＤ１２）。
【００７７】
そして、前記選択枠６０が『終了』アイコン６９上に操作され、例えば、終了決定キーとして、前記セットキー１４が操作されると（ＳＤ１３）、前記選択設定した優先順位テーブルを記憶して（ＳＤ１４）、当該優先順位設定処理を終了する。
【００７８】
つまり、前記制御部３２は、前記図７に示したように、前記優先順位設定画面で選択されたエラー属性と、他のエラー属性との間で、前記選択されたエラー属性の優先順位が高くなるように優先順位を設定するとともに、複数のエラー属性が選択されたときには、所定の条件に従って、前記選択されたエラー属性間においても優先順位を設定し、それを優先順位テーブルとして記憶するように構成されている。
【００７９】
尚、前記記憶される優先順位テーブルには、前記図７に示したように、エラー属性の選択の有無や、その順番情報を必ずしも含む必要はなく、少なくとも優先順位情報が含まれていればよい。
【００８０】
次に、前記ステップＳＣ１における表示順位設定処理について図１０のフローチャートに基づいて説明する。前記表示順位設定処理は、前記優先順位テーブルに基づいて前記メモリに記録されている撮影画像に表示順位を設定する処理であり、前記メモリに記録されている撮影画像を前記各種エラー属性が関連付けられている撮影画像と、そうでない撮影画像とに分類するとともに、前記各種エラー属性が関連付けられている撮影画像を、関連付けられているエラー属性毎に分類する（ＳＥ１）。
【００８１】
そして、前記分類された各撮影画像群に、前記優先順位テーブルに基づいた優先順位を設定する（ＳＥ２）。例えば、前記優先順位テーブルにおいて、前記図７に示したように、優先順位１位として前記撮影画像の露出度合いが不適正である旨のエラー属性が、また、優先順位２位として前記撮影画像にピンぼけが発生している旨のエラー属性が、さらに、優先順位３位として前記撮影画像に手振れが発生している旨のエラー属性と前記撮影画像に画像の途切れが発生している旨のエラー属性とが選択設定されているときには、前記撮影画像評価処理によって、撮影画像の露出度合いが不適正であると評価された撮影画像からなる露出不適画像群に優先順位１位が、撮影画像にピンぼけが発生していると評価された撮影画像からなるピンぼけ画像群に優先順位２位が、撮影画像に手振れが発生していると評価された撮影画像と撮影画像に画像の途切れが発生していると評価された撮影画像とからなるその他のエラー画像群に優先順位３位が、エラー画像として評価されなかったノーマル画像からなるノーマル画像群に優先順位４位が設定される。
【００８２】
また、図１１に示すように、前記優先順位が設定された撮影画像群毎に、それぞれ各撮影画像に、例えば、撮影日時に基づいた表示順位を設定する（ＳＥ３）。
【００８３】
尚、一つの撮影画像に複数のエラー属性が関連付けられているときには、優先順位の高い方のエラー属性に対応した撮影画像として分類される。
【００８４】
次に、前記ステップＳＣ２における削除実行処理について説明する。前記撮影画像削除画面は、例えば、図１２に示すように、前記メモリから選択された所定枚数の撮影画像が前記表示部１７に一覧表示されるもので、複数のページに亘って前記メモリに記録されている各撮影画像が表示される。そして、このとき、前記各撮影画像は、前記優先順位設定処理により設定された優先順位と、前記表示順位設定処理により設定された表示順位とに従って表示される。
【００８５】
つまり、前記各撮影画像群間において、前記設定された優先順位が高い撮影画像群に含まれる撮影画像が先に表示されるとともに、前記撮影画像群内において、例えば、撮影日時の古い撮影画像が先に表示される。
【００８６】
具体的に、前記図１１の例では、最初のページに優先順位が１位の露出不適画像群としての各露出不適画像が前記表示順位に従って表示されているとともに、前記露出不適画像群における露出不適画像が全て表示された次に、前記優先順位が２位のピンぼけ画像群における各ピンぼけ画像が前記表示順位に従って表示されている状態である。前記最初のページに表示し切れなかった撮影画像は、２ページ以後に上述したような順に従って表示される。
【００８７】
また、前記撮影画像削除画面では、複数が表示されている撮影画像のうち、現在選択されている撮影画像が識別可能なように、現在選択されている撮影画像上に選択枠５２が表示される。前記選択枠５２は、選択枠移動キーとして、例えば、前記十字キー１３の操作により、所望の撮影画像上に移動させることが可能となっている。
【００８８】
そして、削除決定キーとして、例えば、前記セットキー１４が操作されると、前記制御部３２は、前記選択枠５２によって選択されている撮影画像に対応した画像データをメモリから削除して、前記表示部１７に表示している前記削除画像選択画面を、前記削除決定された撮影画像を消去した削除画像選択画面に更新して表示する。
【００８９】
尚、前記制御部３２は、前記削除決定キーとして、前記セットキー１４が操作されたときに、削除対象となった撮影画像を削除する前に、前記削除対象画像を、一旦拡大表示させて、前記削除対象画像を削除する旨の再確認を実行する構成としてもよい。
【００９０】
さらに、前記削除画像選択画面では、前記選択枠５２を『次ページ』アイコン５３上に操作し、例えば、ページ移行決定キーとして、前記セットキー１４を操作することにより、前記削除画像選択画面として未表示の撮影画像を表示することが可能となっている。また、２ページ以後であれば、『前ページ』アイコンが表示され、前記『前ページ』アイコンの選択により前ページに戻ることも可能となっている。
【００９１】
また、前記選択枠５２を『終了』アイコン上に操作し、例えば、終了決定キーとして、前記セットキー１４が操作されると、当該撮影画像削除処理を終了する。このとき、前記表示部１７への前記削除画像選択画面の表示は停止し、再び、前記スルー画像の表示を開始する。
【００９２】
尚、前記削除画像選択画面では、各撮影画像に関連付けられていたエラー属性に対応するエラータグ５０を、それぞれに対応する撮影画像５１上の一端に表示させる構成としてもよい。
【００９３】
前記エラータグ５０は、例えば、前記検出されたエラー画像データに、撮影画像の露出度合いが不適正である旨のエラー属性が関連付けられていたときには『露』の記号として、撮影画像に手振れが発生している旨のエラー属性が関連付けられていたときには『手』の記号として、撮影画像にピンぼけが発生している旨のエラー属性が関連付けられていたときには『ピ』の記号として、撮影画像に画像の途切れが発生している旨のエラー属性が関連付けられていたときには『切』の記号として、表示することができる。
【００９４】
尚、前記削除画像選択画面は、複数枚の撮影画像を一覧表示するものに限定するものではなく、前記撮影画像が一枚ずつ順次表示される構成であってもよい。そして、このときにも、優先順位の高いエラー属性に対応した撮影画像を先に、つまり、優先的に表示する。
【００９５】
上述したように、前記デジタルカメラ１では、前記メモリの記録残存容量が所定の容量閾値よりも少量となったときに、前記表示部１７に前記メモリに記録されている撮影画像を自動的に表示することで、ユーザに対してメモリの記録残存容量が少量になったことを知らせるように構成されている。また、ユーザが予め前記優先順位設定モードで、ユーザが望む削除すべき撮影画像に対応したエラー属性の優先順位が高くなるように設定しておけば、このときに、ユーザが望む削除すべき撮影画像が優先的に表示されるように構成されている。つまり、ユーザは、このときに、撮影画像が表示される優先順位に従って、戸惑うことなく表示される撮影画像を削除することができる。
【００９６】
以下、別の実施形態について説明する。上述の実施形態では、前記撮影画像削除処理は、前記メモリカード３７または前記内蔵メモリ３８の記録可能残存容量が所定の容量閾値よりも少量となったときに、前記優先順位テーブルに基づいて前記メモリに記録されている画像データ（撮影画像）に表示順位を設定するとともに、前記設定した表示順位に従って所定の撮影画像が順次表示される撮影画像削除画面を表示し、そして、前記撮影画像削除画面でユーザにより操作指示された撮影画像を前記メモリから削除する構成について説明したが、前記撮影画像削除処理は、前記メモリカード３７または前記内蔵メモリ３８の記録可能残存容量が所定の容量閾値よりも少量となったときに、前記優先順位テーブルに基づいて前記メモリに記録されている画像データ（撮影画像）に削除順位を設定するとともに、前記設定した削除順位に従って、前記メモリの記録可能残存容量が所定の第二容量閾値以上となるように、自動的に、前記メモリから撮影画像を削除する構成としてもよい。
【００９７】
尚、前記削除順位は、例えば、図１３に示すように、前記表示順位の設定と同様に、前記優先順位が設定された撮影画像群毎に、それぞれ各撮影画像に、例えば、撮影日時に基づいて設定される。そして、前記各撮影画像は、前記優先順位設定処理により設定された優先順位と、前記削除順位とに従って、自動的に削除される。つまり、前記各撮影画像群間において、前記設定された優先順位が高い撮影画像群に含まれる撮影画像が先に削除されるとともに、前記撮影画像群内において、例えば、撮影日時の古い撮影画像が先に削除される。
【００９８】
上述した実施形態に加え、前記制御部３２は、前記撮影画像評価処理における評価項目をユーザに選択させる構成としてもよい。ユーザにとって不必要な評価項目を削減することによって、前記撮影画像評価処理に費やされる時間を短縮することができる。
【００９９】
上述の実施形態に加え、前記再生モード時において撮影画像を表示させる際に、前記撮影画像削除画面と同様の順番で撮影画像を再生表示する構成としてもよい。つまり、例えば、ユーザの操作により、再生モードが選択されたときに、前記制御部３２は、前記表示順位設定処理を実行し、前記優先順位設定処理により設定された優先順位と、前記表示順位設定処理により設定された表示順位とに従って撮影画像を再生表示する構成としてもよい。
【０１００】
尚、前記優先順位設定処理により設定された優先順位や、前記表示順位設定処理により設定された表示順位に従った撮影画像の再生表示は、前記残存容量検出手段により検出される記録可能残存容量が所定の容量閾値よりも少量となったときや、前記再生モード時に限定するものではなく、例えば、当該デジタルカメラ１の電源がオンにされたときや、当該デジタルカメラ１の電源がオフにされたとき、また或いは、当該デジタルカメラ１に着脱されるメモリが交換されたときなど、適宜、設定することが可能である。
【０１０１】
上述した実施形態では、本発明の撮像装置をデジタルカメラに適用した場合について説明したが、これに限定するものではなく、例えば、カメラ付き携帯端末や、デジタルムービーカメラ等にも適用可能なことはいうまでもない。
【０１０２】
以上説明したように、本発明の撮像装置の表示プログラムは、撮影画像を記録媒体に記録する撮影画像記録手段と、前記記録媒体に記録された撮影画像を複数表示する撮影画像表示手段としてコンピュータを機能させるための撮影画像の表示プログラムであって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、前記撮影画像表示手段は、前記優先順位設定手段により設定されたエラー属性間の優先順位に基づいて、前記各撮影画像を表示するように機能させるものであり、予め上述した制御部３２にインストールされているものである。
【０１０３】
また、本発明の撮像装置の削除プログラムは、撮影画像を記録媒体に記録する撮影画像記録手段と、前記記録媒体に記録された撮影画像を複数表示する撮影画像削除手段としてコンピュータを機能させるための撮影画像の削除プログラムであって、複数の評価項目について前記各撮影画像の画質を評価する撮影画像評価手段と、前記撮影画像評価手段による前記撮影画像の画質評価結果に基づいて前記評価項目毎にエラー属性を生成して、そのエラー属性を前記撮影画像に関連付けるエラー属性生成手段と、前記エラー属性生成手段により生成される各エラー属性間に予め優先順位を設定して記憶しておく優先順位設定手段として機能させ、前記撮影画像削除手段は、前記優先順位設定手段により設定されたエラー属性間の優先順位に基づいて、前記各撮影画像を削除するように機能させるものであり、予め上述した制御部３２にインストールされているものである。
【図面の簡単な説明】
【０１０４】
【図１】デジタルカメラの外観構成の説明図
【図２】デジタルカメラの電子回路構成の説明図
【図３】記録モード時におけるデジタルカメラの概略動作を説明するためのフローチャート
【図４】撮影画像とエラータグの表示例
【図５】再生モード時におけるデジタルカメラの概略動作を説明するためのフローチャート
【図６】撮影画像削除処理の説明図
【図７】優先順位テーブルの説明図
【図８】優先順位設定処理の説明図
【図９】優先順位設定画面の説明図
【図１０】表示順位設定処理の説明図
【図１１】優先順位と表示順位の関係の説明図
【図１２】撮影画像削除画面の説明図
【図１３】優先順位と削除順位の関係の説明図
【符号の説明】
【０１０５】
１：デジタルカメラ
１７：表示部
３２：制御部
５０：エラータグ
５１：撮影画像
５２、６０：選択枠
【図１】
0004793049.tif 000002
【図２】
0004793049.tif 000003
【図３】
0004793049.tif 000004
【図４】
0004793049.tif 000005
【図５】
0004793049.tif 000006
【図６】
0004793049.tif 000007
【図７】
0004793049.tif 000008
【図８】
0004793049.tif 000009
【図９】
0004793049.tif 000010
【図１０】
0004793049.tif 000011
【図１１】
0004793049.tif 000012
【図１２】
0004793049.tif 000013
【図１３】
0004793049.tif 000014